(57)【要約】      （修正有）【課題】上部軸を迅速で且つ便利に調節できる圧延鍛造装置を提供する。【解決手段】互いに平行に取り付けられた二つのフレーム（１０）と、フレーム（１０）の１つのチャンバ（１０１）に摺動可能に取り付けられた二つの移動ブラケット（２０）と、対応するカップリング取付部（１０３）に回転可能に取り付けられた二つの調節組立体と、駆動ロッドの内端部に接続されたカップリングと、カップリング取付部（１０３）の１つに取り付けられた駆動装置（５０）と、移動ブラケット（２０）に回転可能に取り付けられた上部ローラ組立体と、フレーム（１０）に回転可能に取り付けられた下部ローラ組立体と、を備える。【選択図】図１
0003135546.tif 000002
【実用新案登録請求の範囲】
【請求項１】
圧延鍛造装置であって、
二つのフレーム（１０）と、二つの移動ブラケット（２０）と、二つの調節組立体（３０）と、カップリング（４０）と、駆動装置（５０）と、上部ローラ組立体（６０）と、下部ローラ組立体（７０）と、を備え、
前記二つのフレーム（１０）は互いに対して平行に取り付けられ、各フレーム（１０）は、長手軸方向に延在し、内表面と、上部と、底部と、本体（１１）の内表面に画成され、他方のフレーム（１０）における前記チャンバ（１０１）と対向し、二つのエッジを有するチャンバー（１０１）と、本体（１１）の上部に取り付けられるボルト取付部（１０２）と、ボルト取付部（１０２）に取り付けられるカップリング取付部（１０３）と、を有する本体（１１）と、
本体（１１）の底部付近で本体（１１）の内表面に取り付けられる静止ブラケット（１２）を有するフレーム（１０）と、を有し、
前記二つの移動ブラケット（２０）は、フレーム（１０）の１つのチャンバ（１０１）に摺動可能に取り付けられ、上部と、二つの長手軸方向側面を有する本体（２１）と、移動ブラケット（２０）の上部にしっかりと取り付けられるナット（２３）と、を有し、
前記フレーム（１０）にそれぞれ取り付けられる前記二つの調節組立体（３０）は、対応する前記ボルト取付部（１０２）の１つに回転可能且つ貫通して取り付けられ、外表面と、対応する移動ブラケット（２０）のナット（２３）に移動可能に取り付けられる下端部と、を有する調節ボルト（３１）と、
対応するカップリング取付部（１０３）に回転可能且つ貫通して取り付けられ、調節ボルト（３１）に回転可能に接続され、内端部および外表面を有する駆動ロッド（３２）を備える調節組立体（３０）と、を有し、
前記カップリング（４０）は、駆動ロッド（３２）の前記内端部に接続され、
前記駆動装置（５０）はカップリング取付部（１０３）の１つに取り付けられ、駆動装置（５０）が接続される前記カップリング取付部（１０３）における前記駆動ロッド（３１）に接続され、
前記上部ローラ組立体（６０）は移動ブラケット（２０）に回転可能に取り付けられ、移動ブラケット（２０）に取り付けられる上部軸（６１）と、フレーム（１０）間の上部軸（６１）にしっかりと取り付けられる上部ローラ（６２）と、を有し、
前記下部ローラ組立体（７０）はフレーム（１０）に回転可能に取り付けられ、静止ブラケット（１２）に取り付けられる下部軸（７１）と、フレーム（１０）間の下部軸（７１）にしっかりと取り付けられる下部ローラ（７２）と、を有する、圧延鍛造装置。
【請求項２】
各フレーム（１０）は、チャンバ（１０１）のエッジに隣接する本体（１１）の内表面に長手軸方向に取り付けられる二つの摺動レール（１３）をさらに有し、
各移動ブラケット（２０）の本体（２１）は、前記本体（２０）の前記長手側にそれぞれ形成され、かつ、対応するフレーム（１０）の摺動レール（１３）にそれぞれ対向する二つの摺動部（２１１）を更に有し、
各移動ベース（２０）は、摺動部（２１１）にそれぞれ取り付けられ、対応する摺動レール（１３）にそれぞれ係合される二つのスライダ（２２）を更に有する、請求項１記載の圧延鍛造装置。
【請求項３】
各調節ボルト（３１）は、調節ボルト（３１）の外表面の周りに形成される多数の歯車（３１１）を更に有し、
各駆動ロッド（３２）は、対応する調節ボルト（３１）上の前記歯車（３１１）に対応且つ係合して前記駆動ロッド（３２）の前記外表面の周りに形成される多数の駆動歯（３２１）を更に有する、請求項２記載の圧延鍛造装置。
【請求項４】
各移動ブラケット（２０）の本体（２１）は、本体（２１）を貫通して画成され、他方の移動ブラケット（２０）における上部軸孔（２１２）と位置合わせされる上部軸孔（２１２）を更に有し、
前記上部軸（６１）は、前記移動ブラケット（２０）の前記上部軸孔（２１２）に回転可能に取り付けられ、
各フレーム（１０）の前記静止ブラケット（１２）は、静止ブラケット（１２）を貫通して画成され、かつ、他方の静止ブラケット（１２）における下部軸孔（１２１）と位置合わせされる下部軸孔（１２１）を更に有し、
下部軸（７１）は静止ブラケット（１２）の前記下部軸孔（１２１）に回転可能に取り付けられる、請求項３記載の圧延鍛造装置。
【考案の詳細な説明】
【技術分野】
【０００１】
本考案は、圧延鍛造装置に関し、特に、上部軸の自動調節機能を有する圧延鍛造装置に関する。
【背景技術】
【０００２】
従来の圧延鍛造装置は、鉱物資源を棒状に加工するために使用される。図５および図６を参照すると、従来の圧延鍛造装置は、二つのフレーム（８０）と、二つの移動ブラケット（８１）と、二つの調節ボルト（８２）と、上部ローラ組立体と、下部ローラ組立体とを備える。
【０００３】
二つのフレーム（８０）は、互いに平行に取り付けられ、各フレーム（８０）は外表面、内表面、上部、底部、および、インジケータ（８０１）を有する。インジケータ（８０１）は、フレーム（８０）の外表面に取り付けられている。
【０００４】
移動ブラケット（８１）は、それぞれフレーム（８０）の内表面に移動可能に取り付けられる。調節ボルト（８２）は、フレーム（８０）の上部にそれぞれ回転可能に取り付けられ、各調節ボルト（８２）は外表面、調節メータ（８２１）、および、下端部を有する。調節メータ（８２１）は、調節ボルト（８２）の外表面の周りに形成され、対応するフレーム（８０）のインジケータ（８０１）に対応する。調節ボルト（８２）の下端部は対応する移動ブラケット（８１）に取り付けられ、調節ボルト（８２）を回転することで移動ブラケット（８１）が上下に移動される。
【０００５】
上部ローラ組立体は、上部軸（８３）および上部ローラ（８４）を含む。上部ローラ（８４）は、上部軸（８３）の周りにしっかりと取り付けられ、上部軸（８３）は移動ブラケット（８１）に回転可能に取り付けられる。
【０００６】
下部ローラ組立体は、下部軸（８５）および下部ローラ（８６）を含む。下部ローラ（８６）は、下部軸（８５）の周りにしっかりと取り付けられ、下部軸（８５）はフレーム（８０）に回転可能に取り付けられる。
【０００７】
従来の圧延鍛造装置は、異なるサイズの棒を製造する際、調節ボルト（８２）を回し、上部軸（８３）を上下に移動させて上部ローラ（８４）と下部ローラ（８６）間の距離を調節しなくてはならない。
しかしながら、調節ボルト（８２）は、それぞれ上部軸（８５）が下部軸（８３）に対して平行になるよう、個別に手動で回転させなければならない。また、インジケータ（８０１）によりそれぞれ表示される調節を記録する必要があり、それぞれの上部軸（８５）の調節は煩雑で且つ時間がかかる作業となる。
【考案の開示】
【考案が解決しようとする課題】
【０００８】
本考案の主な目的は、上部軸を迅速且つ便利に調節できる圧延鍛造装置を提供することである。
【課題を解決するための手段】
【０００９】
本考案による圧延鍛造装置は、二つのフレームと、二つの移動ブラケットと、二つの調節組立体と、カップリングと、駆動装置と、上部ローラ組立体と、下部ローラ組立体と、を備える。
【００１０】
フレームは互いに平行に取り付けられ、各フレームは本体と静止ブラケットとを有する。本体は、内表面、底部、上部、チャンバ、ボルト取付部、および、カップリング取付部を有する。チャンバは、本体の内表面に画成され、他のフレームにおけるチャンバと対向する。ボルト取付部は、本体の上部に取り付けられる。カップリング取付部はボルト取付部に取り付けられる。静止ブラケットは、本体の底部付近で本体の内表面に取り付けられる。
【００１１】
移動ブラケットはフレームにそれぞれ摺動可能に取り付けられ、各移動ブラケットは本体とナットとを有する。本体は、対応するフレームのチャンバに摺動可能に取り付けられ、上部を有する。ナットは、本体の上部に取り付けられる。
【００１２】
調節組立体は、フレームにそれぞれ取り付けられ、各調節組立体は調節ボルトと駆動ロッドとを有する。調節ボルトは、対応するボルト取付部に回転可能に且つ貫通して長手軸方向に取り付けられ、対応する移動ブラケットのナットに取り付けられる下端部を有する。駆動ロッドは、対応するカップリング取付部に回転可能に且つ貫通して取り付けられ、長手軸方向の調節ボルトと係合し、内端部を有する。
【００１３】
カップリングは、駆動ロッドの内端部に接続される。
【００１４】
駆動装置は、カップリング取付部の１つに取り付けられ、カップリング取付部の駆動ロッドに接続される。
【００１５】
上部ローラ組立体は移動ブラケットに回転可能に取り付けられ、上部軸および上部ローラを有する。上部ローラは上部軸の周りに取り付けられる。上部軸は移動ブラケットに回転可能に取り付けられる。
【００１６】
下部ローラ組立体はフレームに回転可能に取り付けられ、下部軸および下部ローラを有する。下部ローラは下部軸の周りに取り付けられる。下部軸は静止ブラケットに回転可能に取り付けられる。
【考案を実施するための最良の形態】
【００１７】
図１、図２、および、図３を参照して説明する。
本考案に係る圧延鍛造装置は、二つのフレーム（１０）と、二つの移動ブラケット（２０）と、二つの調節組立体（３０）と、カップリング（４０）と、駆動装置（５０）と、上部ローラ組立体（６０）と、下部ローラ組立体（７０）とを備える。
【００１８】
フレーム（１０）は互いに平行に取り付けられ、各フレーム（１０）は本体（１１）、静止ブラケット（１２）、および二つの摺動レール（１３）を含む。本体（１１）は、内表面、上部、底部、チャンバ（１０１）、ボルト取付部（１０２）、および、カップリング取付部（１０３）を含む。
【００１９】
チャンバ（１０１）は、本体（１１）の内表面に画成され、他のフレーム（１０）におけるチャンバ（１０１）に対向し、二つの長手軸方向のエッジを有する。
【００２０】
ボルト取付部（１０２）は、本体（１１）の上部に取り付けられ、ボルト取付チャンバ（１０２１）およびボルト取付孔（１０２２）を有し、円筒状である。ボルト取付チャンバ（１０２１）はボルト取付部（１０２）に画成される。ボルト取付孔（１０２２）はボルト取付部（１０２）を貫通して長手軸方向に画成され、対応するフレーム（１０）のチャンバ（１０１）と連通する。
【００２１】
カップリング取付部（１０３）は、ボルト取付部（１０２）に取り付けられ、横方向取付チャンバ（１０３１）および横方向取付孔（１０３２）を含む。横方向取付チャンバ（１０３１）はカップリング取付部（１０３）に画成され、ボルト取付チャンバ（１０２１）と連通する。横方向取付孔（１０３２）はカップリング取付部（１０３）を貫通して画成され、他のカップリング取付部（１０３）における横方向取付孔（１０３２）と同心的に位置合わせされる。
【００２２】
静止ブラケット（１２）は本体（１１）の底部付近で本体（１１）の内表面に取り付けられ、下部軸孔（１２１）を有する。下部軸孔（１２１）は静止ブラケット（１２）を貫通して画成され、他の静止ブラケット（１２）における下部軸孔（１２１）と位置合わせされる。
【００２３】
摺動レール（１３）はチャンバ（１０１）の長手軸方向のエッジに隣接する本体（１１）の内表面に長手軸方向に取り付けられる。移動ブラケット（２０）はフレーム（１０）のチャンバ（１０１）においてそれぞれ摺動可能に取り付けられ、各移動ブラケット（２０）は本体（２１）、二つのスライダ（２２）、および、ナット（２３）を有する。本体（２１）は、対応する調節ホルダ（１０１）における受容チャンバ（１０１）に取り付けられ、上部、二つの長手軸方向の辺、二つの摺動部（２１１）、および、上部軸孔（２１２）を有する。摺動部（２１１）はそれぞれブラケット（２０）の長手軸方向の辺に形成され、それぞれ対応するフレーム（１０）の摺動レール（１３）と対向する。上部軸孔（２１２）はブラケット（２０）を貫通して画成され、他の移動ブラケット（２０）における上部軸孔（２１２）と位置合わせされる。スライダ（２２）は、摺動部（２１１）にそれぞれ取り付けられ、移動ブラケット（２０）が摺動レール（１３）に沿って上下に摺動するよう対応する摺動レール（１３）とそれぞれ摺動可能に係合する。ナット（２３）は、移動ブラケット（２０）の上部にしっかりと取り付けられる。
【００２４】
調節組立体（３０）は、フレーム（１０）にそれぞれ取り付けられ、各調節組立体（３０）は長手軸方向の調節ボルト（３１）および駆動ロッド（３２）を有する。調節ボルト（３１）は対応するボルト取付部（１０２）のボルト取付孔（１０２２）に回転可能に且つ貫通して取り付けられ、下端部、外表面、および、多数の歯車（３１１）を有する。
【００２５】
調節ボルト（３１）の下端部は、対応する移動ブラケット（２０）のナット（２３）に取り付けられる。歯車（３１１）は、長手軸方向の調節ボルト（３１）の外表面の周りに形成される。
【００２６】
駆動ロッド（３２）は、対応するカップリング取付部（１０３）の横方向取付孔（１０３２）中に回転可能に且つ貫通して取り付けられ、調節ボルト（３１）に回転可能に接続され、内端部、外表面、および、多数の駆動歯（３２１）を有する。駆動歯（３２１）は、駆動ロッド（３２）の外表面の周りに形成され、調節ボルト（３１）上の歯車（３１１）と対応し係合する。
【００２７】
カップリング（４０）は、駆動ロッド（３２）の内端部に接続されることで駆動ロッド（３２）を同期的に回転させる。実際に、カップリング（４０）はキーとキーホールで駆動ロッド（３２）に接続される。
【００２８】
駆動装置（５０）は、カップリング取付部（１０３）の１つに取り付けられ、対応するカップリング取付部（１０３）における駆動ロッド（３１）に接続されて駆動ロッド（３１）を回転させ、サービングモータとして機能する。
【００２９】
上部ローラ組立体（６０）は、移動ブラケット（２０）に回転可能に取り付けられ、上部軸（６１）および上部ローラ（６２）を有する。上部軸（６１）は、移動ブラケット（２０）の上部軸孔（２１２）に回転可能に取り付けられる。上部ローラ（６２）は、フレーム（１０）間の上部軸（６１）に固定して取り付けられる。
【００３０】
下部ローラ組立体（７０）は、フレーム（１０）に回転可能に取り付けられ、下部軸（６３）および下部ローラ（６４）を有する。下部軸（６３）は、静止ブラケット（１２）の下部軸孔（１２１）に回転可能に取り付けられる。下部ローラ（６４）は、フレーム（１０）間の下部軸（６３）にしっかりと取り付けられる。
【００３１】
図４を更に参照して説明すると、上部軸（６１）を調節して上部と下部ローラ（６２、６４）間の距離を変更する際には、駆動装置（５０）が作動されて、同期的に回転するよう駆動ロッド（３２）を駆動し、この回転を調節ボルト（３１）に並進することで摺動レール（１３）に沿って移動ブラケット（２０）をそれぞれ上下に摺動させ、上部と下部ローラ（６２，６４）間の距離を変更する。移動ブラケット（２０）は、駆動装置（５０）によって同期的に上下に移動されるため、上部軸（６１）は迅速且つ便利に調節される。
【図面の簡単な説明】
【００３２】
【図１】本考案に係る圧延鍛造装置の部分的な正面斜視図である。
【図２】図１の圧延鍛造装置の部分的な背面斜視図である。
【図３】図１の圧延鍛造装置の正面図である。
【図４】図１の圧延鍛造装置の背面動作斜視図である。
【図５】従来の圧延鍛造装置の正面図である。
【図６】従来の圧延鍛造装置の拡大斜視図である。
【図１】
0003135546.tif 000003
【図２】
0003135546.tif 000004
【図３】
0003135546.tif 000005
【図４】
0003135546.tif 000006
【図５】
0003135546.tif 000007
【図６】
0003135546.tif 000008